(57)【要約】【課題】リアルタイムでのデジタルビデオデータの検査を少ないデータ量で処理を可能にし、安価なシステムで行うことができるデジタルビデオデータ検査装置を提供する。【解決手段】検査対象１０から出力されるデジタルビデオデータを、デジタルビデオデータ入力部２より取り込んで、検査目的に応じた最適なコードにするコード生成部３を設け、ここで生成されたコードと期待値としてのコードとを比較部４にて比較して検査を行うことで、デジタルビデオデータ検査のリアルタイム処理を、従来より少ないデータ量で行うことを実現する。【選択図】図１
2005045523.tif 000002
【特許請求の範囲】
【請求項１】
検査対象より出力されたデジタルビデオデータを取得し、取得したデジタルビデオデータからコードを生成するコード生成手段と、前記コード生成手段にて生成したコードと期待値として用意されたコードとを比較する比較手段を備えることを特徴とするデジタルビデオデータ検査装置。
【請求項２】
前記比較手段における比較結果を外部出力する手段を備えることを特徴とする請求項１に記載のデジタルビデオデータ検査装置。
【請求項３】
前記コード生成手段は取得したデジタルビデオデータからコードを生成する際の生成単位を変更することが可能なことを特徴とする請求項１に記載のデジタルビデオデータ検査装置。
【請求項４】
前記コード生成手段は取得したデジタルビデオデータからコードを生成する際のコード量を検査目的に応じて変更することが可能なことを特徴とする請求項１に記載のデジタルビデオデータ検査装置。
【請求項５】
期待値として用意されたコードと前記コード生成手段にて生成されたコードが異なる場合、前記コード生成手段にて生成されたコードを任意の期間記憶する記憶手段を備えることを特徴とする請求項１に記載のデジタルビデオデータ検査装置。
【請求項６】
期待値として用意されたコードと前記コード生成手段にて生成されたコードが異なる場合、前記コード生成手段にてコード化されたデジタルビデオデータを任意の期間記憶する記憶手段を備えることを特徴とする請求項１に記載のデジタルビデオデータ検査装置。
【請求項７】
期待値として用意されたコードと前記コード生成手段にて生成されたコードが等しい場合、前記コード生成手段にて生成されたコードを任意の期間記憶する記憶手段を備えることを特徴とする請求項１に記載のデジタルビデオデータ検査装置。
【請求項８】
期待値として用意されたコードと前記コード生成手段にて生成されたコードが等しい場合、前記コード生成手段にてコード化されたデジタルビデオデータを任意の期間記憶する記憶手段を備えることを特徴とする請求項１に記載のデジタルビデオデータ検査装置。
【請求項９】
前記記憶手段へコードを記憶する期間を設定するための記憶期間設定手段を備えることを特徴とする請求項５または請求項７に記載のデジタルビデオデータ検査装置。
【請求項１０】
前記記憶手段へデジタルビデオデータを記憶する期間を設定するための記憶期間設定手段を備えることを特徴とする請求項６または請求項８に記載のデジタルビデオデータ検査装置。
【請求項１１】
前記コード生成手段はデジタルビデオデータを１ビットづつのシリアルデータとみなしコード生成を行うことを特徴とする請求項１に記載のデジタルビデオデータ検査装置。
【請求項１２】
検査対象および基準対象より出力されたデジタルビデオデータを取得し、取得したデジタルビデオデータからコードを生成するコード生成手段と、前記基準対象より出力されたデジタルデータから生成されるコードを期待値とし、前記検査対象より出力されたデジタルビデオデータから生成されるコードと前記期待値とを比較する比較手段を備えることを特徴とするデジタルビデオデータ検査装置。
【請求項１３】
検査対象より出力されたデジタルビデオデータを取得する取得工程と、取得したデジタルビデオデータからコードを生成するコード生成工程と、前記コード生成工程にて生成したコードと期待値として用意されたコードとを比較する比較工程を備えることを特徴とするデジタルビデオデータ検査方法。
【発明の詳細な説明】
【技術分野】
【０００１】
本発明は、デジタルビデオ出力を持つＬＳＩ、装置などの検査を行うデジタルビデオデータ検査装置に関する。
【背景技術】
【０００２】
以下、従来のデジタルビデオデータ検査装置について説明する。従来のデジタルビデオデータ検査装置は検査対象から出力されたデジタルビデオデータを全て検査装置に取り込み、あらかじめ期待値として保持しておいたデジタルビデオデータと比較することで検査を行っていた。
【０００３】
または、検査対象から出力されたデジタルビデオデータをそのまま検査装置に取り込み、外付けの記録装置にあらかじめ保持しておいたデジタルビデオデータである期待値を読み込んできてリアルタイムで比較を行うという手段で検査を行っているものもある（例えば、特許文献１参照）。
【０００４】
以下に、図１７を用いて従来の検査装置についての説明をする。１０１は従来の検査装置であり、１０２は検査装置１０１にて検査を行う検査対象であり、１０３は検査対象１０２の検査時に比較する期待値データを出力する基準デジタル信号処理装置であり、１０４は外部からデジタルビデオデータ信号が入力されるデジタルビデオデータ入力部であり、１０５は基準デジタル信号処理装置１０３より入力された期待値データを格納するデジタルデータ記録装置であり、１０６は検査対象１０２より入力されたデジタルビデオデータとデジタルデータ記録装置１０５より入力された期待値とを比較する比較部であり、１０７はデジタルビデオデータ入力部１０４を介して入力されるデータをデジタルデータ記録装置１０５もしくは比較部１０６のどちらに送るかを切り替える切替部であり、１０８は切替部１０７による切り替えおよび比較部１０６による比較を制御する制御部であり、１０９はデジタルデータ記録装置１０５との信号の入出力を行うためのデジタルデータ記録装置入出力部である。
【０００５】
以下、その動作を説明する。まず検査を行うに先立ち、基準デジタル信号処理装置１０３にデジタルビデオデータのテスト信号を入力することにより、基準デジタル信号処理装置１０３から出力される信号をデジタルビデオデータ入力部１０４を介して検査装置１０１に取り込み、制御部１０８からの制御により切替部１０７の切り替えを行って、その信号をデジタルデータ記録装置入出力部１０９を介してデジタルデータ記録装置１０５に入力することで、デジタルデータ記録装置１０５に期待値として記憶する。次に、実際に検査を行う検査対象１０２にデジタルビデオデータのテスト信号を入力し、検査対象１０２から出力される信号を同様にデジタルビデオデータ入力部１０４を介して検査装置１０１に取り込み、制御部１０８からの制御により切替部１０７の切り替えを行って、その信号を比較部１０６へ入力し、またその時デジタルデータ記録装置に格納されている期待値をデジタルデータ記録装置入出力部１０９を介して比較部１０６へ入力し、両者を比較することで、検査対象１０２の検査を行っていた。
【特許文献１】特開平１０−９１４７０号公報
【発明の開示】
【発明が解決しようとする課題】
【０００６】
しかしながら、従来のデジタルビデオデータ検査装置では検査する期間のデジタルビデオデータを一旦全て取り込み、取り込み終了後に期待値と比較を行うため検査に時間がかかってしまうといった問題点があった。
【０００７】
また、リアルタイムでの期待値比較を行うことが可能な装置でも、デジタルビデオデータをそのまま用いて比較を行うため、期待値として準備しておかなければならないデータ量が非常に大きく、期待値格納用としてデジタルデータ記録装置を使用しなければならず、検査装置としての規模が大きくなり、また高価なものになってしまうといった課題を有していた。またそのような課題から、長時間のデータ比較を行うことが非常に困難であるという課題が生じていた。
【０００８】
本発明は、上記問題に対して期待値比較を行う上で、扱うデータ量を減らすことにより、デジタルビデオデータの検査をリアルタイムで検査することが可能であり、また小規模かつ安価な検査装置を提供することを目的とする。
【課題を解決するための手段】
【０００９】
上記課題を解決するため、本発明は検査対象より出力されたデジタルビデオデータを検査装置で取得しコード化することによりデータ量を減らして、期待値比較を行うという検査手段を提案している。
【発明の効果】
【００１０】
本発明によれば、デジタルビデオデータからコードを生成し、そのコードを用いて期待値と比較するといった手段で検査を行うため扱うデータ量を少なくすることができ、ビデオデータを一旦記憶装置に記憶し、その後期待値と比較を行うといったことを必要としないリアルタイムでの検査が可能となる。
【００１１】
また、期待値もデジタルビデオデータそのものでなく、コードで保持することができるので、長時間に渡りデジタルビデオデータの検査をする必要がある場合でも従来のデジタルビデオデータそのものを期待値としてもつ手段よりも期待値量を格段に減少させることが可能であり、記憶容量が大きな記憶装置を用いる必要もなく小規模かつ低コスト（現在の検査システムの約２０分の１）で検査システムが構築可能である。
【発明を実施するための最良の形態】
【００１２】
以下、本発明の実施の形態について、図面を参照しながら説明する。なお各実施の形態において、デジタルビデオデータのコード化するために用いられるコードとして、ＣＲＣコード（Ｃｙｃｌｉｃ  Ｒｅｄｕｎｄａｎｃｙ  Ｃｈｅｃｋ）を用いて説明を行う。
【００１３】
ＣＲＣコードは生成多項式と呼ばれる多項式を用いて算出されるコードで、誤り検出に長けた符号化方式である。この方式は例えば１６次の生成多項式を用いた場合、以下のような検出能力を持つ。
・１ビット、あるいは２ビット以下の誤りを全て検出
・１６ビット以下の連続した誤りを全て検出
・奇数個の誤りを全て検出
なお、本発明を実施するにあたり、用いるコードとしてはこれに限定されるものではない。
（実施の形態１）
本発明の実施の形態１に係るデジタルビデオデータ検査装置を図１を用いて説明する。１は本実施の形態に係るデジタルビデオデータ検査装置であり、２は外部からのデジタルビデオデータをデジタルビデオデータ検査装置に入力するためのデジタルビデオデータ入力部であり、３はデジタルビデオデータ入力部２より入力されたデジタルビデオデータのコード化を行うコード生成部であり、４は生成コードと期待値コードとの比較を行う比較部であり、５は検査対象のデジタルビデオデータの検査時における比較に用いる期待値となる期待値コードを格納しておく期待値格納部であり、１０はデジタルビデオデータ検査装置１の検査対象であり、６は検査対象１０より出力されたデジタルビデオデータであり、７はコード生成部３で生成された生成コードであり、８は期待値格納部５より読み出された期待値コードであり、１１は生成コード７を解析することで各部の制御を行う制御部であり、９は制御部１１より出力される比較部制御信号である。
【００１４】
以上のように構成された本実施の形態のデジタルビデオデータ検査装置について、以下その動作を説明する。検査対象１０にデジタルビデオデータのテスト信号を入力し、それを受け検査対象１０が出力するデジタルビデオデータ６がデジタルビデオデータ入力部２よりデジタルビデオデータ検出装置１に入力され、コード生成部３においてＣＲＣコードが生成される。この生成されたＣＲＣコードを制御部１１で解析を行い、現在取得しているデジタルビデオデータが例えば黒い画面のデータであるといったようなデジタルビデオデータの状態を把握し検査を行うデジタルビデオデータを取得するタイミングを見張る。そして、検査を行う対象のデジタルビデオデータを取得したことを検出すると、期待値格納部５に格納されているあらかじめＣＲＣコード化されている期待値コード８を読み出し、コード生成部３にてＣＲＣコード化された検査対象１０からのデジタルビデオデータの生成コード７とＣＲＣコード化された期待値デジタルビデオデータである期待値コード８とを比較部４にて比較を行うことで検査を行う。
【００１５】
以上のように本実施の形態によれば、デジタルビデオデータをコード化するという手段を取ることで、比較を行うデータ量を減らすことが可能であるため、リアルタイムでの期待値比較を行う場合においても、期待値として保持しておくデータ量を小さくすることができる。
（実施の形態２）
本発明の実施の形態２に係るデジタルビデオデータ検査装置を図２を用いて説明する。図２において１２は比較部４において比較を行った結果をデジタルビデオデータ検査装置１の外部へ出力する比較結果外部出力部、１３は比較部４より出力される比較結果情報であり、その他の構成については、実施の形態1において説明したものと同様である。
【００１６】
以上のように構成された本実施の形態について、以下その動作を説明する。まず、本デジタルビデオデータ検査装置は実施の形態１に記載の手段と同様にコード生成部３にてＣＲＣコード化された生成コード７と期待値格納部５から出力された、あらかじめＣＲＣ化された期待値コード８との比較を比較部４にて行う。比較部４での比較が終了すると比較結果情報１３が出力される。この比較結果情報１３を比較結果外部出力部１２より検査装置外部へ出力が行われる。
【００１７】
比較結果外部出力部１２より外部出力された比較結果情報１３を例えば、ハンドラ制御システムに渡すことにより、ハンドラ制御システムはデジタルビデオデータの終了を検知することができ、次の検査対象を検査装置にセットするタイミングを自動検出可能となるため、検査の自動化を実現することが可能である。
【００１８】
以上のように本実施の形態によれば、本発明のデジタルビデオデータ検査装置と
他の検査装置との接続が可能となり、例えば、検査対象の量産過程でのデジタルビデオデータ検査環境が実現可能である。
（実施の形態３）
本発明の実施の形態３に係るデジタルビデオデータ検査装置を図３および図４を用いて説明する。図３は本実施の形態に係るデジタルビデオデータ検査装置であり、図４は図３におけるコード生成部３の構成図である。
【００１９】
図３において１８は本発明のデジタルビデオ検査装置の動作設定を行うための動作設定スイッチであり、その他の構成については実施の形態１にて説明したものと同様である。
【００２０】
図４において３１は制御部１１より出力されるコード生成単位選択信号であり、３２はコード生成単位選択信号３１が入力されるコード生成単位制御信号生成部であり、３３はコード生成単位制御信号生成部３２で生成されたコード生成単位制御信号であり、３４はデジタルビデオデータ６からＣＲＣコードを生成するコード生成回路である。
【００２１】
以上のように構成された本実施の形態について、以下その動作を説明する。まず、動作設定スイッチ１８における切り替え状態に応じて、制御部１１はコード生成単位選択信号３１をコード生成単位制御信号生成部３２に入力する。コード生成単位制御信号生成部３２はその信号を基に、コード生成回路３４にて行うデジタルビデオデータ６のコード生成の単位（１ライン、１フィールド、１フレーム等）を設定し、コード生成単位制御信号３３をコード生成回路３４に入力する。このコード生成単位制御信号３３を受け、コード生成回路３４は設定された単位で生成コード７を生成する。
【００２２】
以上のように本実施の形態によれば、生成コード単位の変更が可能であり、ユーザーは不良検出率などを考慮し、検査目的に最適な検査を行うことが可能である。
（実施の形態４）
本発明の実施の形態４に係るデジタルビデオデータ検査装置を図５および図６を用いて説明する。図５は本実施の形態に係るデジタルビデオデータ検査装置であり、図６は図５におけるコード生成部３の構成図である。
【００２３】
図５において、各構成については実施の形態３で説明したものと同様である。図６において３５は制御部１１より出力され、コード生成回路３４に入力されるコード選択信号であり、３６はコード１生成回路、３７はコード２生成回路であり、それぞれ異なるコード生成を行うものである。
【００２４】
以上のように構成された本実施の形態について、以下その動作を説明する。まず、動作設定スイッチ１８における切り替え状態に応じて、制御部１１はコード選択信号３５をコード生成回路３４に入力する。コード生成回路３４はその信号を基に、デジタルビデオデータ６のコード化をコード１生成回路３６にて行うか、コード２生成回路３７にて行うかが決められ、どちらかで生成されたコードを生成コード７として出力する。
【００２５】
以上のように本実施の形態によれば、コード生成部における検査対象からのデジタルビデオデータのコード化において、生成コード量、生成コードの種別等の変更が可能である。例えば、コード１として、１６次生成多項式より生成されるＣＲＣ１６を、コード２として、８次生成多項式より生成されるＣＲＣ８を設定することで、デジタルビデオデータのコード化におけるコード量を変更でき、検査目的に応じて、最適な検査を行うことが可能である。
（実施の形態５）
本発明の実施の形態５に係るデジタルビデオデータ検査装置を図７および図８を用いて説明する。図７は本実施の形態に係るデジタルビデオデータ検査装置であり、図８は本実施の形態に係る制御部１１の制御処理の流れを表した制御フロー図である。
【００２６】
図７において、１５は制御部１１から出力される生成コード記憶部制御信号であり、１４はコード生成部３にて生成した生成コード７の記憶を行う生成コード記憶部であり、その他の構成については実施の形態１にて説明したものと同様である。
【００２７】
以上のように構成された本実施の形態について、以下その動作を説明する。本発明のデジタルビデオデータ検査装置の動作を開始させると、制御部１１は検査対象１０からのデジタルビデオデータ６の先頭データ待ち状態に遷移する（先頭映像データ待ち状態１１１）。次に、制御部１１にてデジタルビデオデータ６の先頭映像データの検出が確認されると、制御部１１は比較部４にて期待値比較を実行させる（期待値比較状態１１２）。ここでデジタルビデオデータ検査装置１に設けられたスイッチ等何らかの設定手段によって、ユーザーにより設定される所望の比較結果（生成コードが期待値と異なる、または、生成コードが設定した期待値と一致するかのどちらか）と、実際の比較部４における比較結果が一致すると、制御部１１は生成コード記憶部１４に生成コード７を記憶させる（生成コード記憶状態１１３）。そして任意の期間記憶が終了すると、制御部１１は記憶完了状態に移行する（記憶完了状態１１４）。
【００２８】
以上のように本実施の形態によれば、ユーザーは検査対象のデジタルビデオデータの中から、正常な箇所と異常の生じる箇所のデータを任意に取得することが可能になり、最終的に検査で不良と判断された検査対象の不良解析を簡易化することが可能である。
（実施の形態６）
本発明の実施の形態６に係るデジタルビデオデータ検査装置を図９および図１０を用いて説明する。図９は本実施の形態に係るデジタルビデオデータ検査装置であり、図１０は本実施の形態に係る制御部１１の制御処理の流れを表した制御フロー図である。
【００２９】
図９において、１７は制御部１１から出力されるデジタルビデオデータ記憶部制御信号であり、１６はデジタルビデオデータの記憶を行うデジタルビデオデータ記憶部であり、その他の構成については実施の形態１で説明したものと同様である。
【００３０】
以上のように構成された本実施の形態について、以下その動作を説明する。本発明のデジタルビデオデータ検査装置の動作を開始させると、制御部１１は検査対象１０からのデジタルビデオデータ６の先頭データ待ち状態に遷移する（先頭映像データ待ち状態１１１）。次に、制御部１１によりデジタルビデオデータ６の先頭映像データの検出が確認されると、制御部１１は比較部４にて期待値比較を行わせる(期待値比較状態１１２)。ここでデジタルビデオデータ検査装置１に設けられたスイッチ等何らかの設定手段によって、ユーザーにより設定される所望の比較結果（生成コードが期待値と異なる、または、生成コードが設定した期待値と一致するかのどちらか）と、実際の比較部４における比較結果が一致すると、制御部１１はデジタルビデオデータ記憶部１６にデジタルビデオデータ６を記憶させる（デジタルビデオデータ記憶状態１１５）。そして任意の期間記憶が終了すると、制御部１１は記憶完了状態に移行する（記憶完了状態１１４）。
【００３１】
以上のように本実施の形態によれば、ユーザーは検査対象のデジタルビデオデータの中から、正常な箇所と異常の生じる箇所のデータを任意に取得することが可能になり、最終的に検査で不良と判断された検査対象の不良解析を簡易化することが可能である。また、本実施の形態によれば、実施の形態５に比べ、より詳細な情報を得ることが可能である。
（実施の形態７）
本発明の実施の形態７に係るデジタルビデオデータ検査装置を図１１および図１２を用いて説明する。図１１は本実施の形態に係るデジタルビデオデータ検査装置であり、図１２は本実施の形態に係る制御部１１の制御処理の流れを表した制御フロー図である。
【００３２】
図１１において、１９は生成コード記憶部１４における記憶期間を切り替えるための記憶期間設定スイッチであり、その他の構成については実施の形態５で説明したものと同様である。
【００３３】
以上のように構成された本実施の形態について、以下その動作を説明する。本発明のデジタルビデオデータ検査装置の動作を開始させると、制御部１１は検査対象１０からのデジタルビデオデータ６の先頭データ待ち状態に遷移する（先頭映像データ待ち状態１１１）。次に、制御部１１によりデジタルビデオデータ６の先頭映像データの検出が確認されると、制御部１１は比較部４にて期待値比較を実行させる（期待値比較状態１１２）。ここでデジタルビデオデータ検査装置１に設けられたスイッチ等何らかの設定手段によって、ユーザーにより設定される所望の比較結果（生成コードが期待値と異なる、または、生成コードが設定した期待値と一致するかのどちらか）と、実際の比較部４における比較結果が一致すると、制御部１１は生成コード記憶部１４に生成コード７を記憶させる（生成コード記憶状態１１３）。そして記憶期間設定スイッチ１９により設定された期間の記憶が終了すると、制御部１１は記憶完了状態に移行する（記憶完了状態１１４）。
【００３４】
なお、ユーザー設定による所望の比較結果となる生成コードを、比較部４にて比較を行う前に、生成コード記憶部１４にバッファリングしておくことが可能である。
【００３５】
以上のように本実施の形態によれば、ユーザーは検査対象のデジタルビデオデータの中から、正常な箇所と異常の生じる箇所のデータを任意の期間取得することが可能になり、最終的に検査で不良と判断された検査対象の不良解析を簡易化することが可能である。
（実施の形態８）
本発明の実施の形態６に係るデジタルビデオデータ検査装置を図１３および図１４を用いて説明する。図１３は本実施の形態に係るデジタルビデオデータ検査装置であり、図１４は本実施の形態に係る制御部１１の制御処理の流れを表した制御フロー図である。
【００３６】
図１３において、１９はデジタルビデオデータ記憶部１６における記憶期間を切り替えるための記憶期間設定スイッチであり、その他の構成については実施の形態６で説明したものと同様である。
【００３７】
以上のように構成された本実施の形態について、以下その動作を説明する。本発明のデジタルビデオデータ検査装置の動作を開始させると、制御部１１は検査対象１０からのデジタルビデオデータ６の先頭データ待ち状態に遷移する（先頭映像データ待ち状態１１１）。次に、デジタルビデオデータ６の先頭映像データの検出が確認されると、制御部１１は比較部４にて期待値比較を行わせる(期待値比較状態１１２)。ここでユーザーにより設定される比較結果（生成コードが期待値と異なる、または、生成コードが設定した期待値と一致するかのどちらか）が検出されると、制御部１１はデジタルビデオデータ記憶部１６にデジタルビデオデータ６を記憶させる（デジタルビデオデータ記憶状態１１５）。そして記憶期間設定スイッチ１９により設定された期間の記憶が終了すると、制御部１１は記憶完了状態に移行する（記憶完了状態１１４）。
【００３８】
なお、ユーザー設定により設定される比較結果の前のデジタルビデオデータも、デジタルビデオデータ記憶部１６において、ある一定期間のバッファリングを行うことにより実現可能である。
【００３９】
以上のように本実施の形態によれば、ユーザーは検査対象のデジタルビデオデータの中から、正常な箇所と異常の生じる箇所のデータを任意の期間取得することが可能になり、最終的に検査で不良と判断された検査対象の不良解析を簡易化することが可能である。また、本実施の形態によれば、実施の形態５に比べ、より詳細な情報を得ることが可能である。
（実施の形態９）
本発明の実施の形態９に係るコード生成部の構成図を図１５を用いて説明する。
【００４０】
図１５において、コード生成部３に含まれる３８は１ビットのシリアルデータからなるビット数のコードを生成するコード生成回路群であり、コード生成回路群３８には検査対象からのデジタルビデオデータ６が入力され、生成コード７を出力する。
【００４１】
以上のように構成された本実施の形態のコード生成部の構成図について、以下その動作を説明する。まずコード生成部３に入力されたデジタルビデオデータ６は１ビットづつのシリアルデータに分離され、それぞれコード生成回路群３８に入力され、各ビット列ごとにコードが生成される。ここで生成された各ビット列に対応するコードをまとめ、生成コード７として外部出力される。
【００４２】
従来、ＣＲＣコード生成手法はシリアルデータから数ビットのＣＲＣコードを生成する手法のもので、パラレルデータからＣＲＣコードを生成する場合はパラレルデータをシリアルデータに変換後、ＣＲＣコードの生成を行っていた。
【００４３】
しかし本実施の形態に係るコード生成部のように、データバスとして構成されているデジタルビデオデータ６を１ビットづつのシリアルデータとしてみなし、それぞれデータのコード化を行うことでパラレル／シリアル変換を行わずにデジタルビデオデータのコード化を行うことが可能であり、回路の高速化が実現可能であるため、本発明のデジタルビデオデータ検査装置は、ユーザーにより書き換え可能な半導体デバイスであり、ＡＳＩＣなどに比べ回路動作速度が若干遅いが、設計変更などが何度でも可能という特徴を持つＦＰＧＡデバイスでも実現可能である。また、今後の考えられる高レートのデジタルビデオデータのコード化も可能である。
【００４４】
なお、本実施の形態に係るコード生成部は実施の形態１、２もしくは５から８に記載されるデジタルビデオデータ検査装置の全てのコード生成部に置き換えることが可能であり、またコード生成回路群３８を実施の形態３、４までに記載されるデジタルビデオデータ検査装置の全てのコード生成回路に置き換えることが可能である。
（実施の形態１０）
本発明の実施の形態１０に係るデジタルビデオデータ検査装置の構成図を図１６を用いて説明する。図１６において、２０は検査対象１０からのデジタルビデオデータの比較検査対象となる期待値デジタルビデオデータを出力する基準デジタル信号処理装置であり、２１はコード生成部３からの出力されてくる生成コードを期待値格納部５もしくは比較部４のどちらかに出力することを切り替える切替部であり、制御部１１はコード生成部３におけるコード生成、切替部２１における出力先の切り替え、および比較部４における生成コードと期待値コードの比較等を制御し、その他の構成は実施の形態１において説明したものと同様である。
【００４５】
以上のように構成された本実施の形態について、以下その動作を説明する。まず検査を行うに先立ち、基準デジタル信号処理装置２０にデジタルビデオデータのテスト信号を入力することにより、基準デジタル信号処理装置２０から出力される信号をデジタルビデオデータ入力部２を介して検査装置１に取り込み、コード生成部３にてコード化を行い、生成コードとして出力し、制御部１１からの制御により切替部２１の切り替えを行って、その生成コードを期待値格納部５に入力して、期待値コードとして記憶する。次に、実際に検査を行う検査対象１０にデジタルビデオデータのテスト信号を入力し、検査対象１０から出力される信号を同様にデジタルビデオデータ入力部２を介して検査装置１に取り込み、コード生成部３にてコード化を行い、生成コードとして出力し、制御部１１からの制御により切替部２１の切り替えを行って、その信号を比較部４へ入力し、またその時期待値格納部５に格納されている期待値コードを比較部４へ入力し、両者を比較することで、検査対象１０の検査を行う。
【００４６】
本実施の形態によれば、期待値格納部へ格納する期待値コードをデジタルビデオデータ検査装置において、基準デジタル信号処理装置からのデジタルビデオデータを取り込むことで生成することが可能である。
【００４７】
なお、実施の形態１から８および１０に記載したデジタルビデオデータ検査装置における期待値コードを格納する期待値格納部は内蔵せずに、外部に持つことも可能である。
【図面の簡単な説明】
【００４８】
【図１】実施の形態１に係るデジタルビデオデータ検査装置の構成図
【図２】実施の形態２に係るデジタルビデオデータ検査装置の構成図
【図３】実施の形態３に係るデジタルビデオデータ検査装置の構成図
【図４】実施の形態３に係るコード生成部の構成図
【図５】実施の形態４に係るデジタルビデオデータ検査装置の構成図
【図６】実施の形態４に係るコード生成部の構成図
【図７】実施の形態５に係るデジタルビデオデータ検査装置の構成図
【図８】実施の形態５に係る制御部の処理フロー図
【図９】実施の形態６に係るデジタルビデオデータ検査装置の構成図
【図１０】実施の形態６に係る制御部の処理フロー図
【図１１】実施の形態７に係るデジタルビデオデータ検査装置の構成図
【図１２】実施の形態７に係る制御部の処理フロー図
【図１３】実施の形態８に係るデジタルビデオデータ検査装置の構成図
【図１４】実施の形態８に係る制御部の処理フロー図
【図１５】実施の形態９に係るコード生成部の構成図
【図１６】実施の形態１０に係るデジタルビデオデータ検査装置の構成図
【図１７】従来技術のデジタルビデオデータ検査装置の構成図
【符号の説明】
【００４９】
１  デジタルビデオデータ検査装置
２  デジタルビデオデータ入力部
３  コード生成部
４  比較部
５  期待値格納部
６  デジタルビデオデータ
７  生成コード
８  期待値コード
９  比較部制御信号
１０  検査対象
１１  制御部
１２  比較結果外部出力部
１３  比較結果情報
１４  生成コード記憶部
１５  生成コード記憶部制御信号
１６  デジタルビデオデータ記憶部
１７  デジタルビデオデータ記憶部制御信号
１８  動作設定スイッチ
１９  記憶期間設定スイッチ
２０  基準デジタル信号処理装置
２１  切替部
３１  コード生成単位選択信号
３２  コード生成単位制御信号生成部
３３  コード生成単位制御信号
３４  コード生成回路
３５  コード選択信号
３６  コード１生成回路
３７  コード２生成回路
３８  コード生成回路群
１１１  先頭映像データ待ち状態
１１２  期待値比較状態
１１３  生成コード記憶状態
１１４  記憶完了状態
１１５  デジタルビデオデータ記憶状態
【図１】
2005045523.tif 000003
【図２】
2005045523.tif 000004
【図３】
2005045523.tif 000005
【図４】
2005045523.tif 000006
【図５】
2005045523.tif 000007
【図６】
2005045523.tif 000008
【図７】
2005045523.tif 000009
【図８】
2005045523.tif 000010
【図９】
2005045523.tif 000011
【図１０】
2005045523.tif 000012
【図１１】
2005045523.tif 000013
【図１２】
2005045523.tif 000014
【図１３】
2005045523.tif 000015
【図１４】
2005045523.tif 000016
【図１５】
2005045523.tif 000017
【図１６】
2005045523.tif 000018
【図１７】
2005045523.tif 000019